【手続補正書】
【提出日】平成25年6月24日(2013.6.24)
【手続補正１】
【補正対象書類名】特許請求の範囲
【補正対象項目名】全文
【補正方法】変更
【補正の内容】
【特許請求の範囲】
【請求項１】
互いに異なる材料により形成された第１の回折格子と第２の回折格子とが各々の格子面が接するように積層された回折格子部を有する回折光学素子であって、
前記第１の回折格子を構成する第１の格子形成材料には３種類以上の材料が混合されており、
前記第１の格子形成材料のｄ線における屈折率、アッベ数、部分分散比を各々ｎｄ１、νｄ１、θｇＦ１とし、前記第２の回折格子を構成する第２の格子形成材料のｄ線における屈折率、アッベ数を各々ｎｄ２、νｄ２とするとき
ｎｄ１＜ｎｄ２
νｄ１＜νｄ２
θｇＦ１＜（−１．６６５×１０−７×νｄ１３＋５．２１３×１０−５×νｄ１２−５．６５６×１０−３×νｄ１＋０．７１５）
θｇＦ１＞（４．８０×１０−３×νｄ１＋０．３３）
θｇＦ１＞（−４．７３×１０−２×νｄ１＋１．３１）
なる条件を満足することを特徴とする回折光学素子。
【請求項２】
前記第１の格子形成材料のアッベ数は３０以下であることを特徴とする請求項１に記載の回折光学素子。
【請求項３】
互いに異なる材料により形成された第１の回折格子と第２の回折格子とが各々の格子面が接するように積層された回折格子部を有する回折光学素子であって、
前記第１の回折格子を構成する第１の格子形成材料には３種類以上の材料が混合されており、
前記第１の格子形成材料を構成する第１の材料の消衰係数、アッベ数、部分分散比を各々ｋ１１、νｄ１１、θｇＦ１１とし、
前記第１の格子形成材料を構成する第２の材料のアッベ数、部分分散比を各々νｄ１２、θｇＦ１２とするとき
ｋ１１＞０．００１
θｇＦ１１＜（−１．６６５×１０−７×νｄ１１３＋５．２１３×１０−５×νｄ１１２−５．６５６×１０−３×νｄ１１＋０．５００）
νｄ１２＜３０
θｇＦ１２＞（−１．６６５×１０−７×νｄ１２３＋５．２１３×１０−５×νｄ１２２−５．６５６×１０−３×νｄ１２＋０．７１５）
なる条件を満足することを特徴とする回折光学素子。
【請求項４】
前記第１の格子形成材料を構成する前記第２の材料とは異なる第３の材料のアッベ数、部分分散比を各々νｄ１３、θｇＦ１３とするとき
θｇＦ１３＞（−１．６６５×１０−７×νｄ１３３＋５．２１３×１０−５×νｄ１３２−５．６５６×１０−３×νｄ１３＋０．７１５）
なる条件を満足することを特徴とする請求項３に記載の回折光学素子。
【請求項５】
前記第１の格子形成材料はＩＴＯ微粒子を含むことを特徴とする請求項１乃至４のいずれか１項に記載の回折光学素子。
【請求項６】
前記第１の格子形成材料における前記ＩＴＯ微粒子の体積比率は３％以上１５％以下であることを特徴とする請求項５に記載の回折光学素子。
【請求項７】
前記第１の格子形成材料は２種類以上の異なる微粒子を含むことを特徴とする請求項１乃至６のいずれか１項に記載の回折光学素子。
【請求項８】
前記第１の格子形成材料は無機酸化物で構成される微粒子を含むことを特徴とする請求項７に記載の回折光学素子。
【請求項９】
前記第１の格子形成材料はＴｉＯ２微粒子を含むことを特徴とする請求項８に記載の回折光学素子。
【請求項１０】
前記第１の格子形成材料における微粒子材料の合計体積比率は３％以上２５％以下であることを特徴とする請求項５乃至９のいずれか１項に記載の回折光学素子。
【請求項１１】
前記第１の格子形成材料は２種類以上の異なる樹脂を混合した樹脂を含むことを特徴とする請求項１乃至１０のいずれか１項に記載の回折光学素子。
【請求項１２】
前記第２の回折格子を構成する前記第２の格子形成材料のアッベ数、部分分散比を各々νｄ２、θｇＦ２とするとき
（−１．６６５×１０−７×νｄ２３＋５．２１３×１０−５×νｄ２２−５．６５６×１０−３×νｄ２＋０．７１５）＜θｇＦ２＜（−１．６６５×１０−７×νｄ２３＋５．２１３×１０−５×νｄ２２−５．６５６×１０−３×νｄ２＋０．７６５）
なる条件を満足することを特徴とする請求項１乃至１１のいずれか１項に記載の回折光学素子。
【請求項１３】
前記第２の格子形成材料における微粒子材料の合計体積比率は２５％以下であることを特徴とする請求項１乃至１２のいずれか１項に記載の回折光学素子。
【請求項１４】
前記第１及び第２の格子形成材料の波長λにおける屈折率を各々ｎ１（λ）、ｎ２（λ）とし、前記第１及び第２の回折格子の格子部の格子高さをｄ、回折次数をｍ、とするとき
０．９４５≦（ｎ２（λ）−ｎ１（λ））ｄ／ｍλ≦１．０５５
なる条件を満足する請求項１乃至１３のいずれか１項に記載の回折光学素子。
【請求項１５】
前記第１及び第２の回折格子の格子部の平均高さが１５μｍ以下であることを特徴とする請求項１乃至１４のいずれか１項に記載の回折光学素子。
【請求項１６】
前記第１の回折格子の格子ベース部の厚さは１μｍ以上１０μｍ以下であることを特徴とする請求項１乃至１５のいずれか１項に記載の回折光学素子。
【請求項１７】
前記第１の回折格子の格子部の平均高さは１５μｍ以下であることを特徴とする請求項１乃至１４のいずれか１項に記載の回折光学素子。
【請求項１８】
請求項１乃至１７のいずれか１項に記載の回折光学素子を有することを特徴とする光学系。
【請求項１９】
請求項１８に記載の光学系を有することを特徴とする光学機器。
【手続補正２】
【補正対象書類名】明細書
【補正対象項目名】発明の名称
【補正方法】変更
【補正の内容】
【発明の名称】回折光学素子、光学系及び光学機器
【手続補正３】
【補正対象書類名】明細書
【補正対象項目名】０００１
【補正方法】変更
【補正の内容】
【０００１】
本発明は、回折光学素子、光学系及び光学機器に関し、例えばビデオカメラ、デジタルカメラ、ＴＶカメラ、望遠鏡、双眼鏡等の光学機器に好適なものである。
【手続補正４】
【補正対象書類名】明細書
【補正対象項目名】００１０
【補正方法】変更
【補正の内容】
【００１０】
本発明は、高い回折効率と高い透過率が容易に得られ、しかも回折格子の格子部の格子厚を薄くすることができる回折光学素子、光学系及び光学機器の提供を目的とする。
【手続補正５】
【補正対象書類名】明細書
【補正対象項目名】００１１
【補正方法】変更
【補正の内容】
【００１１】
本発明に係る回折光学素子は、互いに異なる材料により形成された第１の回折格子と第２の回折格子とが各々の格子面が接するように積層された回折格子部を有する回折光学素子であって、前記第１の回折格子を構成する第１の格子形成材料には３種類以上の材料が混合されており、前記第１の格子形成材料のｄ線における屈折率、アッベ数、部分分散比を各々ｎｄ１、νｄ１、θｇＦ１とし、前記第２の回折格子を構成する第２の格子形成材料のｄ線における屈折率、アッベ数を各々ｎｄ２、νｄ２とするとき
ｎｄ１＜ｎｄ２
νｄ１＜νｄ２
θｇＦ１＜（−１．６６５×１０−７×νｄ１３＋５．２１３×１０−５×νｄ１２−５．６５６×１０−３×νｄ１＋０．７１５）
θｇＦ１＞（４．８０×１０−３×νｄ１＋０．３３）
θｇＦ１＞（−４．７３×１０−２×νｄ１＋１．３１）
なる条件を満足することを特徴としている。
【手続補正６】
【補正対象書類名】明細書
【補正対象項目名】００１２
【補正方法】変更
【補正の内容】
【００１２】
本発明に係る他の回折光学素子は、互いに異なる材料により形成された第１の回折格子と第２の回折格子とが各々の格子面が接するように積層された回折格子部を有する回折光学素子であって、前記第１の回折格子を構成する第１の格子形成材料には３種類以上の材料が混合されており、前記第１の格子形成材料を構成する第１の材料の消衰係数、アッベ数、部分分散比を各々ｋ１１、νｄ１１、θｇＦ１１とし、前記第１の格子形成材料を構成する第２の材料のアッベ数、部分分散比を各々νｄ１２、θｇＦ１２とするとき
ｋ１１＞０．００１
θｇＦ１１＜（−１．６６５×１０−７×νｄ１１３＋５．２１３×１０−５×νｄ１１２−５．６５６×１０−３×νｄ１１＋０．５００）
νｄ１２＜３０
θｇＦ１２＞（−１．６６５×１０−７×νｄ１２３＋５．２１３×１０−５×νｄ１２２−５．６５６×１０−３×νｄ１２＋０．７１５）
なる条件を満足することを特徴としている。